(57)【要約】【課題】薄い電池装置を提供することである。【解決手段】電池装置１０は、電池ユニット２０と、電気回路５０とを収容している。電池ユニット２０と、電気回路５０とは、接続部材８０により接続されている。電池ユニット２０の厚さ方向ＴＨにおける２面は、第１仮想平面ＶＰ１と第２仮想平面ＶＰ２とを規定する。電気回路５０は、第１仮想平面ＶＰ１と第２仮想平面ＶＰ２との間に配置されている。電気回路５０は、幅方向および奥行方向ＤＤにおける電池ユニット２０の側方に配置されている。電池ユニット２０の端子方向ＴＭＤに関して、接続部材８０の両端は、第３仮想平面ＶＰ３と第４仮想平面ＶＰ４とを規定する。電気回路５０の少なくとも一部は、第３仮想平面ＶＰ３と第４仮想平面ＶＰ４との間にある。電池ユニット２０を収容する電池部分１０ａの厚さが抑制される。電気回路５０を収容する回路部分１０ｂは、電池部分１０ａより薄い。【選択図】図１０
2018098061.tif 000002
【特許請求の範囲】
【請求項１】
電池セル（２１）の端子が端子面（２０ｍ）に配置された電池ユニット（２０）と、
前記端子から供給される電流を断続するスイッチ部品（５３）とを備え、
前記電池ユニットと前記スイッチ部品とは、厚さ方向（ＴＨ）に関して前記電池ユニットと前記スイッチ部品とが重複することがないように、かつ、幅方向（ＷＤ）および／または奥行方向（ＤＤ）に関して前記電池ユニットと前記スイッチ部品とが並ぶように、配置されている電池装置。
【請求項２】
さらに、前記電池ユニット、前記スイッチ部品、および前記端子と前記スイッチ部品とを電気的に接続するための接続部材（８０）を収容するハウジング（１１、３０）を備え、
前記ハウジングは、
前記電池ユニットを収容する電池部分（１０ａ）と、
前記スイッチ部品を収容する回路部分（１０ｂ）とを備え、
前記回路部分は、前記厚さ方向に関して前記電池部分より薄い請求項１に記載の電池装置。
【請求項３】
さらに、前記スイッチ部品を含むとともに、複数の電気部品（５２）を搭載した基板（５１）を含む電気回路（５０）を備え、
前記回路部分に、前記基板を収容している請求項２に記載の電池装置。
【請求項４】
前記基板は、前記幅方向および前記奥行方向に関して、前記電池ユニットと並ぶＬ字型である請求項３に記載の電池装置。
【請求項５】
前記基板は、前記厚さ方向に直角である平面を有する請求項３または請求項４に記載の電池装置。
【請求項６】
前記電池ユニットにおける前記端子が配置された方向を端子方向（ＴＭＤ）として、前記基板は、前記端子方向に広がる平面を有する請求項５に記載の電池装置。
【請求項７】
前記電池ユニットにおける前記端子が配置された方向を端子方向（ＴＭＤ）として、前記基板は、前記端子方向に直角である平面を有する請求項５に記載の電池装置。
【請求項８】
前記スイッチ部品は、前記端子の近傍に配置されている請求項１から請求項７のいずれかに記載の電池装置。
【請求項９】
前記電池ユニットは、前記端子面が、前記幅方向または前記奥行方向に面するように配置されている請求項１から請求項８のいずれかに記載の電池装置。
【請求項１０】
前記電池ユニットは、前記端子面が、前記厚さ方向に面するように配置されている請求項１から請求項８のいずれかに記載の電池装置。
【請求項１１】
前記電池ユニットは多面体であり、前記厚さ方向において最も離れている前記電池ユニットの２つの面は、それらを含む第１仮想平面（ＶＰ１）および第２仮想平面（ＶＰ２）を規定しており、
前記スイッチ部品は、前記第１仮想平面と前記第２仮想平面との間に配置されている請求項１から請求項１０のいずれかに記載の電池装置。
【請求項１２】
前記端子と前記スイッチ部品とを電気的に接続するための接続部材（８０）は、前記第１仮想平面と前記第２仮想平面との間に配置されている請求項１１に記載の電池装置。
【請求項１３】
さらに、前記スイッチ部品と熱的に接続されており、前記第１仮想平面と前記第２仮想平面との間に配置されている放熱壁（３５）を備える請求項１１または請求項１２に記載の電池装置。
【請求項１４】
前記電池ユニットにおける前記端子が配置された方向を端子方向（ＴＭＤ）として、前記端子と前記スイッチ部品とを電気的に接続するための接続部材（８０）の前記端子方向における両端は、前記端子方向に直角な第３仮想平面（ＶＰ３）および第４仮想平面（ＶＰ４）を規定しており、
前記スイッチ部品は、前記第３仮想平面と前記第４仮想平面との間に配置されている請求項１から請求項１３のいずれかに記載の電池装置。
【請求項１５】
前記端子面を前記端子方向へ投影して規定される投影範囲（ＰＲＪ２０）の中に、前記スイッチ部品の少なくとも一部が配置されている請求項１４に記載の電池装置。
【請求項１６】
前記スイッチ部品は、前記端子と隣接する辺において前記端子面と隣接する２つの面の前記幅方向または前記奥行方向の上に配置されている請求項１５に記載の電池装置。
【発明の詳細な説明】
【技術分野】
【０００１】
この明細書における開示は、電池装置に関する。
【背景技術】
【０００２】
特許文献１は、電池装置を開示する。この電池装置は、複数の単電池を有する組電池モジュールと、電気回路を提供する基板とを有する。基板は、電池と重なる部分と、電池と重ならない部分とを有している。従来技術として列挙された先行技術文献の記載内容は、この明細書における技術的要素の説明として、参照により援用される。
【先行技術文献】
【特許文献】
【０００３】
【特許文献１】特許第５９４２６４４号公報
【発明の概要】
【発明が解決しようとする課題】
【０００４】
従来技術の構成では、電池と、電気回路を提供する基板が重なって配置されている。このため、電池装置の厚さが大きい。多くの場合、電池装置の設置のために利用できるスペースは小さい。このため、厚い電池装置は、設置が困難である。例えば、電池装置の厚さが高さである場合、低い空洞へ電池装置を設置することが困難である。例えば、電池装置の厚さが幅である場合、薄い空洞へ電池装置を設置することが困難である。上述の観点において、または言及されていない他の観点において、電池装置にはさらなる改良が求められている。
【０００５】
開示されるひとつの目的は、薄い電池装置を提供することである。
【０００６】
開示される他のひとつの目的は、電池ユニットの厚さより薄い部分を有する電池装置を提供することである。
【課題を解決するための手段】
【０００７】
ここに開示された電池装置は、電池セルの端子が端子面（２０ｍ）に配置された電池ユニット（２０）と、端子から供給される電流を断続するスイッチ部品（５３）とを備え、電池ユニットとスイッチ部品とは、厚さ方向（ＴＨ）に関して電池ユニットとスイッチ部品とが重複することがないように、かつ、幅方向（ＷＤ）および／または奥行方向（ＤＤ）に関して電池ユニットとスイッチ部品とが並ぶように、配置されている。
【０００８】
開示される電池装置によると、厚さ方向に関して電池ユニットとスイッチ部品とが重複することがない。しかも、幅方向および／または奥行方向に関して電池ユニットとスイッチ部品とが並ぶ。このため、厚さ方向における電池装置の厚さを小さくすることができる。
【０００９】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１０】
【図１】第１実施形態の電池装置を示す斜視図である。
【図２】第１実施形態のカバーを外した電池装置を示す斜視図である。
【図３】第１実施形態の電池装置を示す分解斜視図である。
【図４】第１実施形態の電池ユニットを示す分解斜視図である。
【図５】第１実施形態のベースを示す斜視図である。
【図６】第１実施形態のベースを示す斜視図である。
【図７】第１実施形態のバスバーユニットを示す斜視図である。
【図８】第１実施形態のバスバーユニットを示す平面図である。
【図９】第１実施形態のカバーを外した電池装置を示す平面図である。
【図１０】第１実施形態の電池装置の設置状態を示す模式的断面図である。
【図１１】電池装置を示す模式的斜視図である。
【図１２】電池装置を示す模式的斜視図である。
【図１３】電池装置を示す模式的斜視図である。
【図１４】電池装置を示す模式的斜視図である。
【図１５】電池装置を示す模式的斜視図である。
【図１６】電池装置を示す模式的斜視図である。
【図１７】電池装置の設置姿勢を示す模式的斜視図である。
【図１８】複数の電池セルの積層状態を示す模式的斜視図である。
【図１９】電池ユニットの姿勢を示す模式的斜視図である。
【図２０】第２実施形態の電池装置の設置状態を示す模式的断面図である。
【図２１】第３実施形態の電池装置の設置状態を示す模式的断面図である。
【図２２】第４実施形態の電池装置の設置状態を示す模式的断面図である。
【図２３】第５実施形態の電池装置を示す模式的断面図である。
【図２４】第５実施形態の電池装置を示す模式的断面図である。
【図２５】第６実施形態の電池装置を示す模式的断面図である。
【図２６】第６実施形態の電池装置を示す模式的断面図である。
【図２７】第７実施形態の電池装置を示す模式的断面図である。
【図２８】第７実施形態の電池装置を示す模式的断面図である。
【図２９】第８実施形態の電池装置を示す模式的断面図である。
【図３０】第８実施形態の電池装置を示す模式的断面図である。
【図３１】第９実施形態の電池装置を示す模式的断面図である。
【図３２】第９実施形態の電池装置を示す模式的断面図である。
【図３３】第１０実施形態の電池装置を示す模式的断面図である。
【図３４】第１０実施形態の電池装置を示す模式的断面図である。
【図３５】第１１実施形態の電池装置を示す模式的断面図である。
【図３６】第１２実施形態の電池装置を示す模式的断面図である。
【図３７】第１３実施形態の電池装置を示す模式的断面図である。
【図３８】第１４実施形態の電池装置を示す模式的断面図である。
【発明を実施するための形態】
【００１１】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１２】
第１実施形態
図１は、電池装置１０を示す。図中には、正規の設置状態における斜視図が示されている。以下、特に断らない場合、正規の設置状態における上下が図の上下である。図中には、上下方向または高さ方向（ＨＤ）である厚さ方向ＴＨ、幅方向ＷＤ、および奥行方向ＤＤが図示されている。この実施形態では、厚さ方向ＴＨは、重力の方向である。幅方向ＷＤと奥行方向ＤＤは、厚さ方向ＴＨに直交するサイド方向でもある。
【００１３】
電池装置１０は、カバー１１と、ベース３０とを有する。カバー１１と、ベース３０とは、電池装置１０の外殻を形作っており、電池装置１０のハウジングを提供する。カバー１１は、樹脂製である。カバー１１は、電池装置１０の上部の外殻を提供している。ベース３０は、電池装置１０の下部の外殻を提供している。電池装置１０は、乗り物に搭載されている。電池装置１０は、乗り物の中に搭載される。乗り物の一例は、車両である。電池装置１０は、例えば、車両の座席の下に搭載される。電池装置１０は、車両の座席の下への搭載に適した高さを有する。
【００１４】
図２は、カバー１１を取り除いた電池装置１０を示す。電池装置１０は、乗り物の発電電動機（ＭＧ）１５と協働する。電池装置１０は、乗り物の電動システムを提供する。発電電動機１５は、内燃機関（ＥＧ）１６と連結されている。電池装置１０は、車両の電気負荷（ＬＤ１、ＬＤ２）１７、１８に接続されている。電気負荷１７は、バッテリおよびスタータのような大電流が流れる電気負荷である。電気負荷１８は、バッテリおよびスタータを除く車両の複数の電気負荷の一部または全部である。
【００１５】
発電電動機１５は、内燃機関１６によって駆動されることによって、発電機として機能する。発電電動機１５によって発電された電力の少なくとも一部は、電池装置１０に供給される。この場合、電池装置１０は充電される。発電電動機１５は、電池装置１０から電力を供給される。この場合、発電電動機１５は、電動機として機能する。発電電動機１５は、内燃機関１６とともに動力源として機能する。例えば、発電電動機１５は、内燃機関１６が供給する動力を上回る動力、または、内燃機関１６が供給する動力を補助する動力を供給する。電池装置１０の定格電圧は、例えば１２Ｖである。
【００１６】
図３は、電池装置１０の分解状態を示す。図３において、電池装置１０は、電池ユニット２０と、ベース３０と、バスバーユニット４０と、電気回路５０とを備える。ベース３０に、電池ユニット２０と、バスバーユニット４０と、電気回路５０とが搭載される。ベース３０は、電池ユニット２０を受け入れるための凹状の容器部３１を有する。ベース３０は、電池ユニット２０の一部のみを容器部３１に収容しており、電池ユニット２０の残部（上部）は、ベース３０から突出している。電池ユニット２０と、バスバーユニット４０と、電気回路５０とは、組立方向である高さ方向ＨＤに沿ってベース３０に装着される。電池ユニット２０と、バスバーユニット４０と、電気回路５０とは、複数のスクリュ、またはボルトなどの締結部材によってベース３０に固定される。
【００１７】
電池装置１０は、電池ユニット２０と電気回路５０とを電気的に接続するための接続部材８０を有する。電池ユニット２０は、主要な端子を有している。主要な端子は、断続的に制御される出力ラインを提供する。主要な端子は、電池ユニット２０としてのトータルプラス端子である。接続部材８０は、トータルプラス端子と電気回路５０とを接続する金属部材である。
【００１８】
この実施形態では、接続部材８０は、所定の形状の金属板であるバスバーで提供される。バスバーは、電池装置の製造方法において、金属板を所定の形状に切断し、所定の形状に曲げて形成される。接続部材８０は、電池ユニット２０に接続される第１バスバー８１と、電気回路５０に接続される第２バスバー８２とを有している。接続部材８０は、第１バスバー８１と第２バスバー８２とを締め付ける固定部材８３を有している。固定部材８３は、ボルトである。
【００１９】
第１バスバー８１は、電池ユニット２０のトータルプラス端子に固定手段によって固定されることで、電気的に接続されている。固定手段は、溶接である。固定手段は、はんだ、ボルトによる締め付けなど多様な手段により提供できる。第１バスバー８１は、固定部材８３を受け入れるための開口部を有している。第２バスバー８２は、電気回路５０に固定手段によって固定されることで、電気的に接続されている。固定手段は、はんだである。固定手段は、溶接、ボルトによる締め付けなど多様な手段により提供できる。第２バスバー８２は、電気回路５０に接続するための複数の端子部を有している。第２バスバー８２は、固定部材８３を受け入れるための開口部を有している。
【００２０】
図２に戻り、電池ユニット２０は、複数の電池セル２１を収容するケース２２を有する。ケース２２は、電気絶縁性の樹脂製である。ケース２２は、複数の電池セル２１を収容する容器の一部である。ケース２２は、複数の電池セル２１を互いに固定している。さらに、ケース２２は、複数の電池セル２１をベース３０に固定する固定部材でもある。ケース２２は、電池ユニット２０をベース３０に固定するための複数のブラケットを有する。ケース２２は、壁の強度を高めるために、および／またはケース２２とベース３０との間の隙間を小さくするために、複数のリブを有している。
【００２１】
電池ユニット２０は、モニタモジュール２３を有する。モニタモジュール２３は、電気絶縁性の樹脂部材２４と、複数の電池セル２１に接続されるモニタ接続部材２５とを有している。モニタ接続部材２５は、樹脂部材２４の中にインサート成形によって埋設されている。モニタ接続部材２５は、樹脂部材２４の中を通って、電池セル２１と電気回路５０とを接続している。図中には、電気回路５０との接続部分に複数のモニタ接続部材２５が露出している。
【００２２】
モニタモジュール２３は、図に表れない水センサ６０を有している。水センサ６０は、図に表れない複数の水検出電極を有している。モニタモジュール２３は、６面体であるケース２２の一面に沿って配置されている。モニタモジュール２３は、ケース２２の蓋でもある。電池ユニット２０の詳細な形状は後述される。
【００２３】
ベース３０は、導電性の金属製である。ベース３０は、キャリアとも呼ばれる。ベース３０は、アルミニウム−ダイカスト製である。ベース３０は、高い剛性を有する。ベース３０は、電池ユニット２０を受け入れる容器部３１を有する。ベース３０は、複数のステー３２ａ、３２ｂ、３２ｃを有する。複数のステー３２ａ、３２ｂ、３２ｃ、３２ｄは、総称してステー３２と呼ばれる。ステー３２は、電池装置１０を車両に固定するための固定部である。ステー３２は、多様な形状を有している。
【００２４】
バスバーユニット４０は、電池ユニット２０の電力端子から延びる電力経路を提供する。バスバーユニット４０は、電気絶縁性の樹脂部材と、電池ユニット２０に接続される電力接続部材とを有している。バスバーユニット４０は、ベース３０の上に固定されている。バスバーユニット４０は、電力端子４１、４１を有する。バスバーユニット４０は、少なくとも２つの電力接続部材を有する。ひとつの電力接続部材は、電池ユニット２０のひとつの電力端子と、複数の電力端子４１、４２、４３のひとつとの間に設けられ、電気的接続を提供する。外側の電力端子４１は発電電動機１５に接続されている。内側の電力端子４２は、電気負荷１７に接続されている。電力端子４３は、電気負荷１８に接続されている。
【００２５】
電気回路５０は、ベース３０の上に固定されている。電気回路５０は、電池ユニット２０の横に広がっている。電気回路５０は、電池ユニット２０のひとつの一面の横と、電池ユニット２０の他の一面の横とにわたって広がっている。電気回路５０は、Ｌ字型、またはカギ型と呼べる。電池ユニット２０は、ほぼ四辺形のベース３０のひとつの隅部に配置されている。電気回路５０は、ベース３０上に電池ユニット２０の横に広がるカギ型に渡る範囲を占める。電気回路５０は、モニタモジュール２３に沿って配置されている。電気回路５０のひとつの一部は、電池ユニット２０のモニタモジュール２３側の横に広がるように配置されている。電気回路５０の他の一部は、電池ユニット２０の横であって、モニタモジュール２３の周囲面の横に広がるように配置されている。このような配置は、電池ユニット２０と電気回路５０との、関連付けられた有利な配置に貢献する。
【００２６】
電気回路５０は、基板５１と、複数の電気部品５２とを有する。基板５１は、いわゆるプリント基板である。基板５１は、Ｌ字型、またはカギ型と呼べる。基板５１は、上述の電気回路５０が占める水平範囲にわたって広がっている。基板５１は、単一の基板である。基板５１の上には、複数の電気部品５２が配置されている。基板５１は、複数の接続部分を有している。複数の接続部分の一部、または全部は、バスバーユニット４０の電力接続部材と電気部品５２との接続を提供する。
【００２７】
電気回路５０は、複数の電池セル２１に接続されている。複数の電気部品５２は、制御装置を提供する。制御装置は、電池ユニット２０に含まれる複数の電池セル２１のそれぞれの電圧を監視する。制御装置は、複数の電池セル２１のそれぞれの充電状態、放電状態を監視する。制御装置は、複数の電池セル２１のそれぞれの充電状態を適正に制御する。
【００２８】
複数の電気部品５２は、ひとつまたは複数のスイッチ部品５３を含む。スイッチ部品５３は、電気回路５０によってオンオフ制御される。スイッチ部品５３は、電池ユニット２０の出力を断続的に制御する。スイッチ部品５３は、電池ユニット２０のトータルプラス端子２０ｐから供給される電流を断続する。スイッチ部品５３は、基板５１の上に実装されている。スイッチ部品５３は、トランジスタ、ＭＯＳ、またはＩＧＢＴなどとして広く知られている半導体スイッチである。なお、後述するように、スイッチ部品５３は、基板５１から離れて支持されていてもよい。また、スイッチ部品５３は、電磁的に開閉されるリレーによって提供されてもよい。
【００２９】
接続部材８０は、トータルプラス端子とスイッチ部品５３とを電気的に接続する。接続部材８０は、トータルプラス端子とスイッチ部品５３との間の導電部材の少なくとも一部を提供している。接続部材８０は、基板５１の上において、電池ユニット２０の近傍に配置されている。接続部材８０は、電池ユニット２０に最も近い基板５１の縁に配置されている。接続部材８０は、電池ユニット２０の主要な端子に最も近い基板５１の部位において、接続されている。接続部材８０のための複数の端子は、電池ユニット２０に沿って、基板５１の上に配列されている。スイッチ部品５３は、接続部材８０の近くに配置されている。
【００３０】
座席に水がこぼされる場合に、水に濡れた乗員が座席を利用する場合に、または車両が水に浸かる場合に、電池装置１０の中に水が浸入する場合がある。この場合、電池装置１０が水を放電経路として放電する場合がある。この実施形態では、電池装置１０の中における水を検出する水センサ６０と、水を検出した場合に、対策処理を実行する制御装置とを備えている。制御装置は、電池装置１０内への浸水を監視する。制御装置は、浸水が検出された場合に、対策処置を実行する。対策処理は、例えば、複数の電気部品５２のひとつであるブレーカ素子をオフ状態にすることである。
【００３１】
電気回路５０が提供する制御システムは、制御装置（ＥＣＵ）を提供する。制御装置は、電子制御装置（Electronic Control Unit）である。制御装置は、少なくともひとつの演算処理装置（ＣＰＵ）と、プログラムとデータとを記憶する記憶媒体としての少なくともひとつのメモリ装置（ＭＭＲ）とを有する。制御装置は、コンピュータによって読み取り可能な記憶媒体を備えるマイクロコンピュータによって提供される。記憶媒体は、コンピュータによって読み取り可能なプログラムを非一時的に格納する非遷移的実体的記憶媒体である。記憶媒体は、半導体メモリまたは磁気ディスクなどによって提供されうる。制御装置は、ひとつのコンピュータ、またはデータ通信装置によってリンクされた一組のコンピュータ資源によって提供されうる。プログラムは、制御装置によって実行されることによって、制御装置をこの明細書に記載される装置として機能させ、この明細書に記載される方法を実行するように制御装置を機能させる。
【００３２】
制御システムは、制御装置に入力される情報を示す信号を供給する複数の信号源を入力装置として有する。制御システムは、制御装置が情報をメモリ装置に格納することにより、情報を取得する。制御システムは、制御装置によって挙動が制御される複数の制御対象物を出力装置として有する。制御システムは、メモリ装置に格納された情報を信号に変換して制御対象物に供給することにより制御対象物の挙動を制御する。
【００３３】
制御システムに含まれる制御装置と信号源と制御対象物とは、多様な要素を提供する。それらの要素の少なくとも一部は、機能を実行するためのブロックと呼ぶことができる。別の観点では、それらの要素の少なくとも一部は、構成として解釈されるモジュール、またはセクションと呼ぶことができる。さらに、制御システムに含まれる要素は、意図的な場合にのみ、その機能を実現する手段ともよぶことができる。
【００３４】
制御システムが提供する手段および／または機能は、実体的なメモリ装置に記録されたソフトウェアおよびそれを実行するコンピュータ、ソフトウェアのみ、ハードウェアのみ、あるいはそれらの組合せによって提供することができる。例えば、制御装置がハードウェアである電子回路によって提供される場合、それは多数の論理回路を含むデジタル回路、またはアナログ回路によって提供することができる。電気回路５０は、インバータおよび／またはコンバータとしての回路と、複数の電池セル２１の電圧を観測するモニタ回路とを備えてもよい。この場合、制御装置は別の電気回路容器に収容される。
【００３５】
図４は、電池ユニット２０の分解斜視図である。電池ユニット２０は、６面体として構成されている。電池ユニット２０は、複数の電池セル２１を有する。図中には、５個の電池セル２１が図示されている。電池セル２１は、扁平な直方体である。電池セル２１は、６面体である。電池セル２１の細い１面には、正極および負極の端子２１ａが配置されている。電池セル２１は、横に面する１面に端子２１ａを露出させるように横向きに配置されている。複数の電池セル２１は、電池セル２１の最も広い主面２１ｂを幅方向ＷＤに向けて積層されている。
【００３６】
電池セル２１は、最も広い２つの主面２１ｂを有する。電池セル２１が膨らむ場合、主面２１ｂが著しく影響を受ける。複数の電池セル２１は、それらの複数の主面２１ｂが平行になるように積層されているから、主面２１ｂが面する方向へ膨らむ。図示の例では、複数の電池セル２１は、横方向へ膨らむ。電池セル２１が膨らむ方向は、幅方向ＷＤである。言い換えると、複数の電池セル２１は、それらの積層方向、すなわち幅方向ＷＤへ著しく膨らむ。言い換えると、複数の電池セル２１は、ベース３０の面に沿って膨らむ。言い換えると、複数の電池セル２１は、組立方向と直交する幅方向ＷＤへ膨らむ。
【００３７】
複数の電池セル２１は、６面体の前面に開口部を有するケース２２内に収容されている。ケース２２は、第１ケースであるカップ２２ａと第２ケースであるキャップ２２ｂとを有する。カップ２２ａは、ケース２２内を複数の電池セル２１それぞれのために仕切っている。キャップ２２ｂは、複数の導体２６を支持する蓋体である。
【００３８】
電池ユニット２０は、複数の電池セル２１を接続する複数の導体２６を有する。複数の導体２６は、複数の電池セル２１を直列に接続する。電池ユニット２０は、複数のモニタ端子２７を有する。モニタ端子２７は、電池セル２１の少なくとも電圧を検出するために利用される。図示の例では、電池ユニット２０は、５つの電池セル２１を有する。図中には、複数の導体２６が図示されている。図示の例では、６つのモニタ端子２７を有する。ひとつの導体２６に、ひとつのモニタ端子２７が設けられている。６つのモニタ端子２７により、５つの電池セル２１のそれぞれの状態が監視される。図中には、複数のモニタ端子２７が図示されている。
【００３９】
モニタモジュール２３は、複数のモニタ接続部材２５を有する。モニタ接続部材２５は、モニタ端子２７を受け入れる。モニタ接続部材２５とモニタ端子２７とは、電気的に接続されている。モニタモジュール２３と水センサ６０とは、樹脂部材２４を共有することによって、一体的である。モニタモジュール２３と水センサ６０とは、ひとつの部品として取り扱うことができる。水センサ６０は、複数の水検出電極６１を有する。
【００４０】
電池ユニット２０は、ガスケット部材２８を有する。ガスケット部材２８は、複数の電池セル２１とモニタモジュール２３との間に配置される。
【００４１】
電池ユニット２０の部品の組立方向は、製品の正規の設置状態では、ケース２２に対して横向きである。組立方向は、奥行方向ＤＤである。複数の電池セル２１が、複数の端子２１ａを横に面する面に位置づけるから、複数の電池セル２１と電気回路５０とを少ない部品で接続できる。複数の電池セル２１は、膨らみが著しく表れる複数の主面２１ｂを横向きとして、積層している。このため、複数の電池セル２１が膨らむ場合の主たる方向は幅方向ＷＤである。
【００４２】
図中には、第１バスバー８１が図示されている。第１バスバー８１は、導体２６のひとつでもある。複数の電池セル２１が複数の導体２６によって直列接続されることにより、ひとつの電池セル２１のプラス端子が、トータルプラス端子２２ｐとなる。同様に、他のひとつの電池セル２１のマイナス端子が、トータルマイナス端子２２ｎとなる。トータルプラス端子２２ｐは、電池ユニット２０の主要な端子である。第１バスバー８１は、トータルプラス端子２２ｐと接続されている。
【００４３】
図５は、手前斜め上からベース３０を見た斜視図である。図６は、反対側から見た斜視図である。ベース３０は、板状又は皿状である。ベース３０は、浅い皿状、または浅いカップ状と呼べる形状を有している。ベース３０の形状は、容器部３１において、下に向けて凸状であって、上から凹状である。ベース３０は、それを反らせようとする外力に対抗する高い剛性を有する。ベース３０は、容器部３１を開く横方向、特に幅方向ＷＤへの外力に対抗する高い剛性を有する。ベース３０は、複数の電池セル２１が著しく膨らむ方向に関して、高い剛性を有する。
【００４４】
容器部３１は、側壁３１ａ、３１ｂと、底壁３１ｃと、背壁３１ｄと、前壁３１ｅとを有する。言い換えると、ベース３０は、側壁３１ａ、３１ｂと、底壁３１ｃと、背壁３１ｄと、前壁３１ｅとを有する。なお、以下の説明では、電池ユニット２０のモニタモジュール２３側を前として、説明する。容器部３１は、上に向けて開口部を有する開放容器である。
【００４５】
側壁３１ａ、３１ｂは、容器部３１の両側に設けられている。側壁３１ａ、３１ｂは、複数の電池セル２１の積層方向、すなわち幅方向ＷＤに位置する。側壁３１ａ、３１ｂの内面は、側面３３ａ、３３ｂを提供する。側面３３ａ、３３ｂは、容器部３１内に面している。側面３３ａ、３３ｂは、互いに対向している。側面３３ａ、３３ｂは、側壁３１ａ、３１ｂが提供する広い面のうち、一部である。側面３３ａ、３３ｂは、電池ユニット２０と微小な隙間を介して対向するか、または電池ユニット２０と接触する面である。
【００４６】
側壁３１ａは、ケース２２を固定するための複数のボルト穴３４を有する。側壁３１ｂは、ケース２２を固定するための複数のボルト穴３４を有する。ボルト穴３４は、組立方向である高さ方向ＨＤに深さを有する穴と、穴の内面に形成された雌ねじとを有する。両方の側壁３１ａ、３１ｂは、それぞれがボルト穴３４を提供するために、複雑な形状を有する。複数のボルト穴３４のひとつは、一方の側壁３１ａにおける主面２１ｂの中央より上に開口する。複数のボルト穴３４のひとつは、他方の側壁３１ｂにおける主面２１ｂの中央より上に開口する。側壁３１ａ、３１ｂは、カバー１１を固定するための他のボルト穴、電気的な接続のための部品を固定するための他のボルト穴も形成されている。
【００４７】
底壁３１ｃは、容器部３１の底に位置している。底壁３１ｃは、ベース３０の最も下の壁である。底壁３１ｃは、側壁３１ａの下端と、側壁３１ｂの下端とを連結している。底壁３１ｃの内面は、底面３３ｃを提供する。底面３３ｃは、容器部３１内に面している。底面３３ｃは、ベース３０の上面として、上へ向いている。
【００４８】
背壁３１ｄは、容器部３１の背後に位置している。背壁３１ｄは、側壁３１ａと、側壁３１ｂと、底壁３１ｃとを連結している。背壁３１ｄの内面は、背面３３ｄを提供する。背面３３ｄは、容器部３１内に面している。背壁３１ｄは、側壁３１ａ、３１ｂの上部を連結している。背壁３１ｄは、側壁３１ａ、３１ｂの間を真っ直ぐに連結している。背壁３１ｄは、側壁３１ａ、３１ｂの間に設けられた梁を提供する。背壁３１ｄは、側壁３１ａ、３１ｂを上広がりに外側に倒す外力に対抗する。
【００４９】
前壁３１ｅは、容器部３１の前に位置している。前壁３１ｅは、底壁３１ｃと連結されている。前壁３１ｅは、側壁３１ａと、側壁３１ｂと、底壁３１ｃとを連結していてもよい。前壁３１ｅの内面は、前面３３ｅを提供する。前面３３ｅは、容器部３１内に面している。前壁３１ｅは、底壁３１ｃと放熱壁３５との間に形成された階段壁の一部である。前壁３１ｅは、側壁３１ａ、３１ｂの間を連結している。前壁３１ｅは、側壁３１ａ、３１ｂの間に設けられた梁を提供する。前壁３１ｅは、側壁３１ａ、３１ｂを上広がりに外側に倒す外力に対抗する。
【００５０】
図３戻り、放熱壁３５の上には、一部の電気部品５２が配置される。一部の電気部品５２は、放熱を要する部品である。例えば、電気回路５０のスイッチ部品５３は、放熱壁３５の上に配置される。放熱壁３５と、電気部品５２との間には、絶縁板５９が配置される。これにより、電気部品５２は、絶縁板５９を介して、放熱壁３５へ放熱する。放熱壁３５は、ベース３０の中において、上へ凸状であり、下から凹状である。よって、放熱壁３５は、ベース３０の下面において、下から凹状の放熱部を提供する。
【００５１】
図７および図８は、ベース３０の上に、電池ユニット２０と、バスバーユニット４０と、接続部材８０とを搭載した状態を示す。接続部材８０は、バスバーユニット４０の一部でもある。バスバーユニット４０は、複数の端子４１、４２、４３と、電池ユニット２０と電気回路５０とを接続する。
【００５２】
バスバーユニット４０は、複数のバスバー４５、４６、４７を有する。複数のバスバー４５、４６、４７は、電池ユニット２０に沿って延びている部分を有する。複数のバスバー４５、４６、４７は、平行に延びている。複数のバスバー４５、４６、４７は、放熱壁３５の両側に分散して配置されている。このような配置は、放熱壁３５の上に配置される電気部品５２との接続に適した配置を提供する。例えば、スイッチ部品５３により断続される比較的大きい電流が流れる経路を短くするために有利である。よって、放熱壁３５により複数の電気部品５２の放熱を促進しながら、電流経路を短くして、電気回路５０の発熱そのものを抑制することができる。図中に表れる複数の端子部分が、基板５１と接続される。
【００５３】
接続部材８０は、電池ユニット２０と放熱壁３５との間に配置されている。バスバーユニット４０の一部でもある接続部材８０は、放熱壁３５と隣接している。このため、接続部材８０も、電気回路５０の発熱を抑制するために貢献する。
【００５４】
図９において、電池ユニット２０は、ベース３０に搭載されている。ケース２２は、複数のボルト７１によって、ベース３０に固定されている。複数のボルト７１は、ボルト穴３４に挿入されている。ケース２２は、複数のブラケット２２ｃ、２２ｄ、２２ｅ、２２ｆを有する。複数のブラケット２２ｃ、２２ｄ、２２ｅ、２２ｆは、ケース２２の側面から外側に突出して形成されている。複数のブラケット２２ｃ、２２ｄ、２２ｅ、２２ｆは、ケース２２の樹脂によってケース２２と一体的に形成されている。複数のボルト７１は、ブラケット２２ｃ、２２ｄ、２２ｅ、２２ｆをベース３０に向けて締め付けている。複数のボルト７１は、締結部材を提供する。
【００５５】
図中には、接続部材８０が表れている。第１バスバー８１は、電池ユニット２０から、基板５１に向けて、奥行方向ＤＤに沿って突出する形状を有する。固定部材８３は、厚さ方向ＴＨに沿って第１バスバー８１を締め付けている。固定部材８３は、厚さ方向ＴＨに沿って第２バスバー８２を締め付けている。第２バスバー８２は、締め付け位置から、基板５１の下側に回り込み、基板５１に向けて延びている。第２バスバー８２は、基板５１を貫通する複数の端子を有している。
【００５６】
図１０は、電池装置１０の設置状態を示す。図中では、複数の部材の相対的な関係を示すために、複数の部材の模式的な断面が図示されている。電池装置１０は、高さが小さい隙間に配置されている。隙間は、車両の構造物であるシートＳＴ１と、床ＳＴ２との間にある。隙間は、シートＳＴ１と床ＳＴ２との間に広く広がっている。シートＳＴ１は、下に向けて突出する部分と、上に向けて凹んでいる部分とを有する。床ＳＴ２は、上に向けて突出する部分と、下に向けて凹んでいる部分とを有する。このため、隙間は、狭い隙間部分と、広い隙間部分とを有する。
【００５７】
電池装置１０は、狭い隙間部分と広い隙間部分との両方にわたって設置されている。隙間の厚さ方向ＴＨが、電池装置１０の厚さ方向ＴＨでもある。電池装置１０は、電池ユニット２０を車両の後方に配置し、電気回路５０を車両の前方に配置するようにして、隙間に設置されている。電池ユニット２０が収容されている部分は、電池部分１０ａと呼ばれる。電気回路５０が収容されている部分は、回路部分１０ｂと呼ばれる。回路部分１０ｂは、電池部分１０ａより薄い。
【００５８】
電池ユニット２０は、６面体である。なお、それぞれの面は、凹凸を有している。トータルプラス端子２０ｐが配置された面を端子面２０ｍとする。端子面２０ｍは、第１面、または前面とも呼ばれる。トータルプラス端子２０ｐが設けられている面とは反対側の面を第２面とする。第２面は、背面と呼ばれる。端子面２０ｍと第２面との間に延びる方向は、電池ユニット２０の端子方向ＴＭＤとも呼ばれる。この実施形態では、端子方向ＴＭＤは、奥行方向ＤＤである。
【００５９】
電池ユニット２０の残る４面が側面である。電池ユニット２０の厚さ方向ＴＨにおける２つの面に基いて、それらの面を含む第１仮想平面ＶＰ１と、第２仮想平面ＶＰ２とを仮想することができる。言い換えると、厚さ方向ＴＨにおいて最も離れている電池ユニット２０の２つの面は、それらを含む第１仮想平面ＶＰ１および第２仮想平面ＶＰ２を規定している。電池ユニット２０は、側面のひとつを厚さ方向ＴＨの第３面としている。第３面は、上面と呼ばれる。第３面を含む第１仮想平面ＶＰ１を仮想することができる。電池ユニット２０は、側面のひとつを厚さ方向ＴＨの第４面としている。第４面は、下面と呼ばれる。第４面を含む第２仮想平面ＶＰ２を仮想することができる。
【００６０】
第３面と第４面は、扁平な電池装置１０の厚さ方向ＴＨと直角な２つの面である。電池装置１０の厚さは、第３面と第４面との間隔に基いて設計される。言い換えると、電池装置１０の厚さは、第３面と第４面との間隔に依存している。第３面と第４面との間に延びる方向は、電池セル２１の主面と平行な主面方向とも呼ばれる。この実施形態では、主面方向は、厚さ方向ＴＨである。
【００６１】
電池ユニット２０は、残る２面を幅方向ＷＤの第５面および第６面としている。第５面および第６面は、それぞれ、右面および左面である。第５面と第６面との間に延びる方向は、複数の電池セル２１が積層された積層方向とも呼ばれる。この実施形態では、積層方向は、幅方向ＷＤである。
【００６２】
スイッチ部品５３は、第１仮想平面ＶＰ１と第２仮想平面ＶＰ２との間に配置されている。スイッチ部品５３は、トータルプラス端子２０ｐの近傍に配置されている。スイッチ部品５３は、放熱壁３５と熱的に接続されている。放熱壁３５は、第１仮想平面ＶＰ１と第２仮想平面ＶＰ２との間に配置されている。これにより、放熱壁３５は、スイッチ部品５３の熱を短い距離で放熱することができる。
【００６３】
接続部材８０は、電池ユニット２０と電気回路５０との間に設置されている。接続部材８０は、電池ユニット２０の端子面２０ｍから、電気回路５０に向けて延び出している。接続部材８０が延びている範囲を規定するために、第３仮想平面ＶＰ３と、第４仮想平面ＶＰ４とを仮想することができる。第３仮想平面ＶＰ３と、第４仮想平面ＶＰ４とは、電池ユニット２０の端子面２０ｍおよび第２面と平行である。第３仮想平面ＶＰ３と、第４仮想平面ＶＰ４との間に、接続部材８０は延在している。第３仮想平面ＶＰ３と、第４仮想平面ＶＰ４とは、端子方向ＴＭＤ、すなわち奥行方向ＤＤにおける、接続部材８０の２つの最大突出位置を規定している。図示の例では、第３仮想平面ＶＰ３は、端子方向ＴＭＤにおける、第２面に最も近い接続部材８０の位置にある。第４仮想平面ＶＰ４は、端子方向ＴＭＤにおける、電池ユニット２０から最も離れている接続部材８０の位置にある。
【００６４】
図１１は、電池装置１０における電池ユニット２０と、基板５１との位置関係を示す。電池ユニット２０は、直方体、または立方体、または先行特許文献１に開示されるような段付きの多面体でもよい。電池ユニット２０は、端子面２０ｍが、幅方向ＷＤまたは奥行方向ＤＤに面するように配置されている。基板５１は、厚さ方向ＴＨに直角である平面を有する。基板５１は、端子方向ＴＭＤに広がる平面を有する。基板５１は、幅方向ＷＤおよび奥行方向ＤＤに広がる平面を有する。
【００６５】
電池装置１０は、カバー１１とベース３０とにより、ハウジングを形成している。ハウジングは、電池ユニット２０を収容するための電池部分１０ａを有する。ハウジングは、電気回路５０を収容するための回路部分１０ｂを有する。回路部分１０ｂは、電池部分１０ａに隣接している。この実施形態では、基板５１がＬ字型である。基板５１は、電池ユニット２０の端子面と第６面とにわたる。言い換えると、基板５１は、幅方向ＷＤおよび奥行方向ＤＤに関して、電池ユニット２０と並んでいる。このため、回路部分１０ｂは、電池部分１０ａの少なくとも２面に隣接している。
【００６６】
電池部分１０ａは、厚さ方向ＴＨに関して、厚さＴＨ１０ａを有する。回路部分１０ｂは、厚さ方向ＴＨに関して、厚さＴＨ１０ｂを有している。図中には、第１仮想平面ＶＰ１と第２仮想平面ＶＰ２との間の厚さＴＨ２０が図示されている。厚さＴＨ２０は、電池ユニット２０の厚さでもある。
【００６７】
電池部分１０ａは、カバー１１およびベース３０の厚さに加えて、電池ユニット２０のための空洞を有する。よって、厚さＴＨ１０ａは、厚さＴＨ２０より大きい（ＴＨ２０＜ＴＨ１０ａ）。厚さＴＨ１０ｂは、厚さＴＨ１０ａより小さい（ＴＨ１０ｂ＜ＴＨ１０ａ）。回路部分１０ｂは、電池部分１０ａより薄く形成することができる。これにより、車両の隙間に、電池装置１０を配置することができる。
【００６８】
図１２は、電池ユニット２０、電気回路５０、および接続部材８０を示す。接続部材８０は、矩形の直方体として模式的に図示されている。接続部材８０は、ひとつ以上の曲げ部を有するバスバーまたは電線によって提供される。以下の図面においても、接続部材８０は同様に図示される場合がある。
【００６９】
電気回路５０は、第１仮想平面ＶＰ１と第２仮想平面ＶＰ２との間に位置づけられている。基板５１は、第１仮想平面ＶＰ１と第２仮想平面ＶＰ２との間に位置づけられている。スイッチ部品５３は、第１仮想平面ＶＰ１と第２仮想平面ＶＰ２との間に位置づけられている。接続部材８０は、第１仮想平面ＶＰ１と第２仮想平面ＶＰ２との間に位置づけられている。第１仮想平面ＶＰ１と第２仮想平面ＶＰ２との間に、電気回路５０の全体と、接続部材８０の全体とが配置される。この構成は、電池装置１０の厚さを抑制するために貢献する。
【００７０】
電池ユニット２０の端子面２０ｍを、端子方向ＴＭＤに沿って、端子面２０ｍから離れる方向へ投影して規定される投影範囲ＰＲＪ２０を仮想することができる。電気回路５０の少なくとも一部は、投影範囲ＰＲＪ２０の中に位置づけられている。基板５１の少なくとも一部は、投影範囲ＰＲＪ２０の中に位置づけられている。スイッチ部品５３の少なくとも一部（複数のスイッチ部品５３のひとつまたは複数、またはひとつのスイッチ部品５３の一部）は、投影範囲ＰＲＪ２０の中に位置づけられている。接続部材８０は、投影範囲ＰＲＪ２０の中に位置づけられている。接続部材８０の少なくとも一部が、投影範囲ＰＲＪ２０の中に位置づけられていてもよい。投影範囲ＰＲＪ２０の中に、電気回路５０の少なくとも一部と、接続部材８０の少なくとも一部とが配置される。このような配置は、電池装置１０の小型化を可能とする。
【００７１】
スイッチ部品５３および接続部材８０は、比較的大きい電流が流れるから、トータルプラス端子２０ｐが配置された端子面２０ｍの近くに配置されることが好ましい。基板５１が、端子面２０ｍの前に位置することで、トータルプラス端子２２ｐと基板５１との短い接続が実現される。基板５１の上には、スイッチ部品５３が配置されているから、トータルプラス端子２２ｐとスイッチ部品５３との短い接続が実現される。この配置は、比較的大きい電流が流れる部品の小型化を可能とする。例えば、接続部材８０を短くするために貢献する。例えば、基板５１の上における、比較的大きい電流が流れる配線を短くすることを可能とする。
【００７２】
図１３は、電池ユニット２０、電気回路５０、および接続部材８０を示す。接続部材８０は、端子方向ＴＭＤにおける両端は、端子方向ＴＭＤに直角な第３仮想平面ＶＰ３と、端子方向ＴＭＤに直角な第４仮想平面ＶＰ４とを規定する。よって、接続部材８０は、第３仮想平面ＶＰ３と第４仮想平面ＶＰ４との間にある。電気回路５０の少なくとも一部は、第３仮想平面ＶＰ３と第４仮想平面ＶＰ４との間に配置されている。基板５１の少なくとも一部は、第３仮想平面ＶＰ３と第４仮想平面ＶＰ４との間に配置されている。
【００７３】
さらに、端子方向ＴＭＤにおける端子面２０ｍの外側には、第３仮想平面ＶＰ３と第４仮想平面ＶＰ４との間に薄い直方体状の第１仮想範囲ＶＳ１を仮想することができる。この第１仮想範囲ＶＳ１は、端子面２０ｍを底面としている。この第１仮想範囲ＶＳ１は、第３仮想平面ＶＰ３と第４仮想平面ＶＰ４との間の距離を高さとしている。電気回路５０の少なくとも一部は、第１仮想範囲ＶＳ１の中にある。基板５１の少なくとも一部は、第１仮想範囲ＶＳ１の中にある。
【００７４】
さらに、第１仮想範囲ＶＳ１から、幅方向ＷＤの両側へ延長された第２仮想範囲ＶＳ２を仮想することができる。この第２仮想範囲ＶＳ２は、第１仮想平面ＶＰ１と第２仮想平面ＶＰ２との間にある。電気回路５０の少なくとも一部は、第２仮想範囲ＶＳ２の中にある。基板５１の少なくとも一部は、第２仮想範囲ＶＳ２の中にある。
【００７５】
図１４は、電池ユニット２０に対する基板５１の位置を示す。電池ユニット２０は、端子面２０ｍにトータルプラス端子２０ｐと、トータルマイナス端子２０ｎとを有している。この場合、基板５１は、端子面２０ｍの前方に配置されることが望ましい。すなわち、基板５１は、端子面２０ｍの端子方向ＴＭＤの外側に配置されることが望ましい。この位置は、電池ユニット２０に対する前位置ＦＲと呼ぶことができる。スイッチ部品５３も、前位置ＦＲに配置されることが望ましい。ただし、基板５１は、電池ユニット２０の幅方向ＷＤにおけるサイド位置である右位置ＳＤ１、または左位置ＳＤ２に配置されてもよい。これらのサイド位置でも、トータルプラス端子２０ｐから短い接続を実現可能である。加えて、基板５１は、後位置ＲＲに配置されてもよい。
【００７６】
図１５は、電池ユニット２０に対する基板５１の位置を示す。基板５１は、第１仮想平面ＶＰ１と第２仮想平面ＶＰ２との間に配置することができる。基板５１は、厚さ方向ＴＨにおける電池ユニット２０の中間位置ＭＤに配置することが望ましい。ただし、基板５１は、電池ユニット２０の下部位置ＬＷまたは上部位置ＨＧに配置することができる。いずれの位置においても、基板５１は、トータルプラス端子２０ｐに対して近くに配置することができる。
【００７７】
図１６は、電池ユニット２０に対する基板５１の姿勢を示す。先行する図面に図示される基板５１は、幅方向ＷＤおよび奥行方向ＤＤに広がる平面状である。基板５１は、厚さ方向ＴＨに広がる平面を有していてもよい。
【００７８】
図示されるように、基板５１は、電池ユニット２０の幅方向ＷＤおよび／または奥行方向ＤＤに面する面に対して平行に設けることができる。図示される姿勢でも、電池ユニット２０を収容するための部分を薄く形成できる。また、電池ユニット２０を収容する部分に加えて、それより薄い部分を形成することができる。
【００７９】
図１７は、電池装置１０の中における電池ユニット２０に対する基板５１の位置を示す。電池装置１０は、重力方向と交差する厚さ方向ＴＨを有している。電池装置１０は、厚さ方向ＴＨを横としている。電池装置１０は、幅方向ＷＤを高さ方向ＨＤとしている。
【００８０】
電池ユニット２０の厚さ方向ＴＨにおける２面に基いて第１仮想平面ＶＰ１と、第２仮想平面ＶＰ２とを仮想することができる。電池ユニット２０と、電気回路５０と、接続部材８０とは、第１仮想平面ＶＰ１と第２仮想平面ＶＰ２との間にある。基板５１は、厚さ方向ＴＨに直角である平面を有する。基板５１は、端子方向ＴＭＤに広がる平面を有する。基板５１は、幅方向ＷＤおよび奥行方向ＤＤに広がる平面を有する。
【００８１】
電池装置１０は、電池部分１０ａと、回路部分１０ｂとを有する。また、回路部分１０ｂは、電池部分１０ａより薄く形成することができる。このような配置においても、薄い電池装置１０を提供することができる。また、電池ユニット２０の厚さより薄い回路部分１０ｂを有する電池装置１０を提供することができる。
【００８２】
図１８は、電池ユニット２０における複数の電池セル２１の姿勢を示す。先行する図面に図示される電池セル２１は、端子面２０ｍにおいて縦に配置されている。複数の電池セル２１は、端子面２０ｍにおいて、横に配置されてもよい。この場合も、端子面２０ｍにトータルプラス端子２０ｐが配置される。なお、トータルプラス端子２０ｐとトータルマイナス端子２０ｎとは、端子面２０ｍの上の任意の位置に配置することができる。
【００８３】
図１９は、電池装置１０の中における、電池ユニット２０の姿勢を示す。先行する図面に図示される電池セル２１は、奥行方向ＤＤに端子方向ＴＭＤを一致させている。言い換えると、厚さ方向ＴＨは、端子方向ＴＭＤと直交している。これに代えて、厚さ方向ＴＨは、端子方向ＴＭＤに一致していてもよい。図中には、電気回路５０と接続部材８０とが図示されている。なお、基板５１は、電池ユニット２０の面と平行に広がる平面でもよい。
【００８４】
電池ユニット２０は、端子面２０ｍを上面としている。端子面２０ｍは、第１仮想平面ＶＰ１を規定している。端子面２０ｍの反対にある下面は、第２仮想平面ＶＰ２を規定している。電池ユニット２０は、端子面２０ｍが、厚さ方向ＴＨに面するように配置されている。
【００８５】
接続部材８０の端子方向ＴＭＤにおける両端は、端子方向ＴＭＤに直角な第３仮想平面ＶＰ３と、端子方向ＴＭＤに直角な第４仮想平面ＶＰ４とを規定している。接続部材８０は、端子面２０ｍの上から、電池ユニット２０の幅方向ＷＤまたは奥行方向ＤＤに面する側面へ回り込む形状である。接続部材８０は、端子面２０ｍから、トータルプラス端子２０ｐに近い角部を経由して、側面のひとつの上に延びている。トータルプラス端子２０ｐは、端子面２０ｍのうち、ひとつの角部に配置されている。よって、トータルプラス端子２０ｐに近接している２つの辺において、端子面２０ｍは、他の２つの側面と隣接している。スイッチ部品５３は、これら２つの側面の上に配置されている。よって、スイッチ部品５３は、トータルプラス端子２０ｐと隣接する辺において端子面２０ｍと隣接する２つの側面の幅方向ＷＤまたは奥行方向ＤＤの上に配置されている。スイッチ部品５３は、トータルプラス端子２０ｐの近傍に配置されている。接続部材８０は、第１仮想平面ＶＰ１と第２仮想平面ＶＰ２との外側から、第１仮想平面ＶＰ１と第２仮想平面ＶＰ２との間へ延びている。
【００８６】
図示される場合、第３仮想平面ＶＰ３は、端子面２０ｍである上面と下面との間にある。言い換えると、第３仮想平面ＶＰ３は、厚さ方向ＴＨに対向する２面の間にある。さらに言い換えると、第３仮想平面ＶＰ３は、第１仮想平面ＶＰ１と第２仮想平面ＶＰ２との間にある。第４仮想平面ＶＰ４は、端子面２０ｍから突出する接続部材８０の最大突出部分における平面である。よって、第４仮想平面ＶＰ４は、端子面２０ｍより外側に位置している。
【００８７】
電気回路５０は、第１仮想平面ＶＰ１と第２仮想平面ＶＰ２との間にある。基板５１は、第１仮想平面ＶＰ１と第２仮想平面ＶＰ２との間にある。基板５１は、厚さ方向ＴＨに直角である平面を有する。ただし、基板５１は、端子方向ＴＭＤに直角である平面を有する。スイッチ部品５３は、第１仮想平面ＶＰ１と第２仮想平面ＶＰ２との間にある。基板５１の少なくとも一部は、第３仮想平面ＶＰ３と第４仮想平面ＶＰ４との間にある。スイッチ部品５３の少なくとも一部は、第３仮想平面ＶＰ３と第４仮想平面ＶＰ４との間にある。望ましくは、スイッチ部品５３のすべてが、第３仮想平面ＶＰ３と第４仮想平面ＶＰ４との間に配置されている。
【００８８】
以上に述べたように、この実施形態では、薄い電池装置１０が提供される。電池ユニット２０とスイッチ部品５３とは、厚さ方向ＴＨに関して電池ユニット２０とスイッチ部品５３とが重複することがないように配置されている。電池ユニット２０とスイッチ部品５３とは、幅方向ＷＤおよび／または奥行方向ＤＤに関して電池ユニット２０とスイッチ部品５３とが並ぶように配置されている。これにより、電池ユニット２０を収容するための厚さの中に、スイッチ部品５３を収容できる。
【００８９】
しかも、電池ユニット２０を収容するための電池部分１０ａと、スイッチ部品５３を収容するための回路部分１０ｂとを形成することができる。回路部分１０ｂは、電池部分１０ａより薄い。このような形状は、電池装置１０のために許された隙間への適合を可能とする。
【００９０】
さらに、スイッチ部品５３を含むとともに、複数の電気部品５２を搭載した基板５１を含む電気回路５０を備える場合、電池ユニット２０と電気回路５０とは、厚さ方向ＴＨにおいて重複することなく配置される。電池ユニット２０と電気回路５０とは、幅方向ＷＤまたは奥行方向ＤＤにおいて並ぶように配置される。これにより、薄い電池装置１０が提供される。
【００９１】
また、電気回路５０および接続部材８０が第１仮想平面ＶＰ１と第２仮想平面ＶＰ２との間に配置されることで、電池ユニット２０を収容できる厚さの中に、電気回路５０および接続部材８０を収容できる。しかも、電気回路５０を収容するための回路部分１０ｂは、電池ユニット２０を収容するための電池部分１０ａより薄い。このため、電池ユニット２０の厚さより薄い部分を有する電池装置１０を提供することができる。この結果、多様な隙間への搭載が可能となる。
【００９２】
第２実施形態
この実施形態は、先行する実施形態を基礎的形態とする変形例である。上記実施形態では、電気回路５０は、電池ユニット２０の厚さ方向ＴＨにおける中間位置に配置されている。これに代えて、電気回路５０は、電池ユニット２０の厚さ方向ＴＨにおける下部位置に配置されている。
【００９３】
図２０に図示されるように、シートＳＴ１が下に向けて大きな凸部を有する。電池装置１０は、電気回路５０を下部位置に配置することで、シートＳＴ１と床ＳＴ２との間の隙間への配置を可能としている。電気回路５０は、第１仮想平面ＶＰ１と第２仮想平面ＶＰ２との間にある。接続部材８０は、バスバー２８１と、バスバー２８２とを有している。接続部材８０の少なくとも一部は、第１仮想平面ＶＰ１と第２仮想平面ＶＰ２との間にある。この構成により、車両の隙間への適合が可能となる。
【００９４】
第３実施形態
この実施形態は、先行する実施形態を基礎的形態とする変形例である。この実施形態では、電気回路５０は、電池ユニット２０の厚さ方向ＴＨにおける上部位置に配置されている。
【００９５】
図２１に図示されるように、床ＳＴ２が大きい凸部を有する。電池装置１０は、電気回路５０を上部位置に配置することで、シートＳＴ１と床ＳＴ２との間の隙間への配置を可能としている。電気回路５０は、第１仮想平面ＶＰ１と第２仮想平面ＶＰ２との間にある。接続部材８０は、バスバー３８１と、バスバー３８２とを有している。接続部材８０の全体は、第１仮想平面ＶＰ１と第２仮想平面ＶＰ２との間にある。この構成により、車両の隙間への適合が可能となる。放熱壁３５の下には、比較的大きい空洞を形成できるから、電気回路５０からの放熱が促進される。また、電気回路５０を水から保護することができる。
【００９６】
第４実施形態
この実施形態は、先行する実施形態を基礎的形態とする変形例である。先行する実施形態では、トータルプラス端子２０ｐは、電池ユニット２０の下部角部に配置されている。これに代えて、トータルプラス端子２０ｐは、電池ユニット２０の上部に配置されてもよい。
【００９７】
図２２に図示されるように、電池ユニット２０は、上部にトータルプラス端子２０ｐを有する。トータルプラス端子２０ｐの位置は、電池ユニット２０を回転させて実現できる。接続部材８０は、バスバー４８１と、バスバー４８２とを有している。接続部材８０の全体は、第１仮想平面ＶＰ１と第２仮想平面ＶＰ２との間にある。電気回路５０は、電池ユニット２０の厚さ方向ＴＨにおけるトータルプラス端子２０ｐに近い位置に配置される。このため、電気回路５０を上部位置に配置した場合でも、短い接続部材８０を採用できる。
【００９８】
第５実施形態
この実施形態は、先行する実施形態を基礎的形態とする変形例である。先行する実施形態では、電池ユニット２０の投影範囲ＰＲＪ２０に電気回路５０の少なくとも一部が配置されている。これに代えて、電気回路５０は、投影範囲ＰＲＪ２０の外に配置されてもよい。
【００９９】
図２３は、電池装置１０内の部品の平面的な配置を示す。図２４は、図２３のＦ２４−Ｆ２４線における断面を示す。図中では、部品の配置を示すために、模式的な断面が示されている。
【０１００】
図示されるように、電気回路５０は、電池ユニット２０のサイドに配置されている。接続部材８０は、単一のバスバー５８１を有する。バスバー５８１は、板状である。バスバー５８１は、トータルプラス端子２０ｐに接続された部位と、基板５１に接続された部位とを有する。
【０１０１】
電気回路５０および接続部材８０は、第１仮想平面ＶＰ１と第２仮想平面ＶＰ２との間にある。接続部材８０は、第３仮想平面ＶＰ３と第４仮想平面ＶＰ４とを規定する。基板５１の少なくとも一部は、第３仮想平面ＶＰ３と第４仮想平面ＶＰ４との間にある。言い換えると、基板５１は、端子面２０ｍより前へ突出している。これにより、板状のバスバー５８１が採用可能となる。この実施形態によると、薄い電池装置１０が提供される。この実施形態によると、電池ユニット２０を収容するための部分と、その部分より薄い部分とを有する電池装置１０が提供される。
【０１０２】
第６実施形態
この実施形態は、先行する実施形態を基礎的形態とする変形例である。先行する実施形態では、接続部材８０は、端子面２０ｍから突出している。これに代えて、接続部材８０は、端子面２０ｍから側面へ回り込んでもよい。
【０１０３】
図２５は、電池装置１０内の部品の平面的な配置を示す。図２６は、図２５のＦ２６−Ｆ２６線における断面を示す。図中では、部品の配置を示すために、模式的な断面が示されている。
【０１０４】
図示されるように、電気回路５０は、電池ユニット２０のサイドに配置されている。接続部材８０は、バスバー６８１とバスバー６８２とを有する。バスバー６８１、６８２は、ひとつ以上の曲げ部を有する。
【０１０５】
電気回路５０は、第１仮想平面ＶＰ１と第２仮想平面ＶＰ２との間にある。接続部材８０は、第３仮想平面ＶＰ３と第４仮想平面ＶＰ４とを規定する。基板５１の少なくとも一部は、第３仮想平面ＶＰ３と第４仮想平面ＶＰ４との間にある。この実施形態によると、薄い電池装置１０が提供される。また、電池ユニット２０を収容するための部分と、その部分より薄い部分とを有する電池装置１０を提供可能である。
【０１０６】
第７実施形態
この実施形態は、先行する実施形態を基礎的形態とする変形例である。この実施形態では、トータルプラス端子２０ｐが電池ユニット２０の上部に配置される。
【０１０７】
図２７は、電池装置１０内の部品の平面的な配置を示す。図２８は、図２７のＦ２８−Ｆ２８線における断面を示す。図中では、部品の配置を示すために、模式的な断面が示されている。
【０１０８】
図示されるように、トータルプラス端子２０ｐが電池ユニット２０の上部に配置される。電気回路５０は、電池装置１０の中の上部に配置される。接続部材８０は、バスバー７８１とバスバー７８２とを有する。
【０１０９】
電気回路５０は、第１仮想平面ＶＰ１と第２仮想平面ＶＰ２との間にある。基板５１の少なくとも一部は、第３仮想平面ＶＰ３と第４仮想平面ＶＰ４との間にある。この実施形態によると、搭載場所に応じて薄い回路部分１０ｂを提供できる。回路部分１０ｂは、高さ方向ＨＤにおける上部に配置されるから、水から電気回路５０を保護することができる。また、回路部分１０ｂの下側に提供される空洞により、電気回路５０からの放熱を促進することができる。
【０１１０】
第８実施形態
この実施形態は、先行する実施形態を基礎的形態とする変形例である。先行する実施形態では、基板５１は、幅方向ＷＤおよび奥行方向ＤＤに広がる平面である。これに代えて、基板５１は、電池ユニット２０のいずれかの面と平行でもよい。
【０１１１】
図２９は、電池装置１０内の部品の平面的な配置を示す。図３０は、図２９のＦ３０−Ｆ３０線における断面を示す。図中では、部品の配置を示すために、模式的な断面が示されている。
【０１１２】
図示されるように、基板５１は、電池ユニット２０の端子面２９ｍと平行に配置されている。接続部材８０は、バスバー８８１とバスバー８８２とを有する。バスバー８８１、８８２は、ひとつ以上の曲げ部を有する。
【０１１３】
電気回路５０は、第１仮想平面ＶＰ１と第２仮想平面ＶＰ２との間にある。接続部材８０は、第３仮想平面ＶＰ３と第４仮想平面ＶＰ４とを規定する。電気回路５０の少なくとも一部は、第３仮想平面ＶＰ３と第４仮想平面ＶＰ４との間にある。基板５１は、第３仮想平面ＶＰ３と第４仮想平面ＶＰ４との間にある。スイッチ部品５３の少なくとも一部は、第３仮想平面ＶＰ３と第４仮想平面ＶＰ４との間にある。この実施形態によると、薄い電池装置１０が提供される。
【０１１４】
第９実施形態
この実施形態は、先行する実施形態を基礎的形態とする変形例である。先行する実施形態では、電池ユニット２０の端子面２０ｍは、幅方向ＷＤまたは奥行方向ＤＤを指向している。これに代えて、電池ユニット２０は、端子面２０ｍを厚さ方向ＴＨへ指向させて配置してもよい。言い換えると、トータルプラス端子２０ｐが電池ユニット２０の厚さ方向ＴＨに面する面に配置される。
【０１１５】
図３１は、電池装置１０内の部品の平面的な配置を示す。図３２は、図３１のＦ３２−Ｆ３２線における断面を示す。図中では、部品の配置を示すために、模式的な断面が示されている。
【０１１６】
図示されるように、電池ユニット２０は、端子面２０ｍを厚さ方向ＴＨに指向させている。端子面２０ｍは、重力方向の上方向を指向している。端子面２０ｍは、下方向を指向していてもよい。接続部材８０は、バスバー９８１とバスバー９８２とを有する。バスバー９８１、９８２は、ひとつ以上の曲げ部を有する。接続部材８０は、端子面２０ｍの上から、電池ユニット２０の側方へ回り込んでいる。
【０１１７】
電気回路５０は、第１仮想平面ＶＰ１と第２仮想平面ＶＰ２との間にある。接続部材８０は、第３仮想平面ＶＰ３と第４仮想平面ＶＰ４とを規定する。電気回路５０は、第３仮想平面ＶＰ３と第４仮想平面ＶＰ４との間にある。この実施形態によると、電池ユニット２０を収容するための部分と、その部分より薄い部分とを有する電池装置１０が提供される。薄い部分は、電気回路５０を収容するために利用することができる。
【０１１８】
第１０実施形態
この実施形態は、先行する実施形態を基礎的形態とする変形例である。この実施形態では、基板５１が電池ユニット２０の側面と平行に配置される。
【０１１９】
図３３は、電池装置１０内の部品の平面的な配置を示す。図３４は、図３３のＦ３４−Ｆ３４線における断面を示す。図中では、部品の配置を示すために、模式的な断面が示されている。
【０１２０】
図示されるように、接続部材８０は、バスバーＡ８１を有する。バスバーＡ８１は、ひとつ以上の曲げ部を有する。接続部材８０は、端子面２０ｍの上から、トータルプラス端子２０ｐに近い角部を通って、電池ユニット２０の側方へ延びている。この実施形態によると、薄い電池装置１０が提供される。
【０１２１】
第１１実施形態
この実施形態は、先行する実施形態を基礎的形態とする変形例である。上記実施形態では、接続部材８０がバスバーによって提供される。これに代えて、多様な電気的な接続部材により接続部材８０を提供することができる。この実施形態では、接続部材８０の一部に電線Ｂ８１が利用される。
【０１２２】
図３５は、電池装置１０の模式的断面を示す。図中では、部品の配置を示すために、模式的な断面が示されている。接続部材８０は、電線Ｂ８１を有する。電線Ｂ８１は、例えば、大電流を流すことができる多芯導線によって提供される。電線Ｂ８１の両端には、端子との接続に適した溶接端子、または圧着端子を設けることができる。例えば、トータルプラス端子２０ｐと電線Ｂ８１とは、溶接によって接続できる。なお、電気的な接続は、溶接、締め付けなど多様な接続構造によって提供される。接続部材８０は、基板５１に固定されたバスバーＢ８２と、固定部材Ｂ８３とを有する。バスバーＢ８２は、金属製のナット部材でもある。このように、多様な部材をバスバーと呼ぶことができる。バスバーＢ８２および固定部材Ｂ８３は、電線Ｂ８１と基板５１との接続のために利用される。
【０１２３】
この実施形態でも、電気回路５０は、第１仮想平面ＶＰ１と第２仮想平面ＶＰ２との間に配置される。しかも、電気回路５０は、第３仮想平面ＶＰ３と第４仮想平面ＶＰ４との間に配置される。接続部材８０の少なくとも一部は、第１仮想平面ＶＰ１と第２仮想平面ＶＰ２との間に配置される。この実施形態でも、先行する実施形態と同様の効果が得られる。
【０１２４】
第１２実施形態
この実施形態は、先行する実施形態を基礎的形態とする変形例である。上記実施形態では、スイッチ部品５３が基板５１の上に搭載されている。これに代えて、スイッチ部品５３は、基板５１から離れていてもよい。
【０１２５】
図３６は、電池装置１０の模式的断面を示す。基板５１は、電気回路５０の一部を搭載している。例えば、基板５１は、モニタ端子２７と接続されている。この場合、基板５１には、複数の電池セル２１の少なくとも電圧を監視するモニタ回路が搭載されている。基板５１は、スイッチ部品５３を制御するための制御回路を搭載することができる。
【０１２６】
スイッチ部品５３は、スイッチモジュール５４と呼ばれる素子によって提供されている。スイッチモジュール５４は、スイッチ部品５３を収容する。スイッチモジュール５４は、スイッチ部品５３によって断続される電流を流すための少なくとも２つの電力端子を有している。電力端子は、電池ユニット２０に向けて延びている。電力端子は、接続部材８０としてのバスバーＣ８１と接続されている。また、スイッチモジュール５４は、スイッチ部品５３を制御するための制御端子を有している。制御端子は、スイッチモジュール５４から基板５１に向けて延びている。制御端子は、基板５１に接続されている。制御端子は、制御回路に接続されている。
【０１２７】
比較的発熱が大きいスイッチ部品５３が基板５１から離れるから、電気回路５０は熱的な利点を得ることができる。また、スイッチモジュール５４を利用することで、大きい電流を制御しやすい。また、スイッチ部品５３は、半導体スイッチ素子に代えて、リレーのような電気部品によって提供されてもよい。この実施形態によると、スイッチ部品５３に起因する熱的な影響を抑制しながら、薄い電池装置１０が提供される。
【０１２８】
第１３実施形態
この実施形態は、先行する実施形態を基礎的形態とする変形例である。上記実施形態では、Ｌ字型の基板５１が用いられる。これに代えて、基板５１を複数の基板Ｄ５４、Ｄ５５によって提供してもよい。
【０１２９】
図３７は、電池装置１０の斜視図を示す。電池装置１０は、電気回路５０を有している。電気回路５０は、スイッチ部品５３を含む大電流のための回路と、スイッチ部品５３の制御回路とを有する。電気回路５０は、第１基板Ｄ５４と、第２基板Ｄ５５とを有する。第１基板Ｄ５４は、スイッチ部品５３を搭載している。第１基板Ｄ５４は、電池ユニット２０の電流が流れる回路を有する。例えば、車両に用いられる１２ボルトにおいて、数百アンペアの電流を流すことができる。第２基板Ｄ５５は、スイッチ部品５３のための制御回路を搭載している。例えば、半導体の制御回路としての５ボルトにおいて、数ミリアンペアの電流を流すことができる。第１基板Ｄ５４と第２基板Ｄ５５との間には、複数のリード線Ｄ５６が設けられる。複数のリード線Ｄ５６と第１基板Ｄ５４との間、および複数のリード線Ｄ５６と第２基板Ｄ５５との間は、はんだ、またはコネクタによって接続することができる。
【０１３０】
この実施形態によると、スイッチ部品５３を搭載した基板を電池ユニット２０の端子面２０ｍの近くに配置することができる。このため、比較的大きい電流が流れる経路を短くすることができる。また、スイッチ部品５３などは発熱が大きいから、発熱が大きい部品を第１基板Ｄ５４に集中させることができる。
【０１３１】
第１４実施形態
この実施形態は、先行する実施形態を基礎的形態とする変形例である。上記実施形態では、電池装置１０の中に、電気回路５０が配置されている。これに代えて、電池装置１０の外部の電気回路９０を利用してもよい。
【０１３２】
図３８は、電池装置１０の斜視図を示す。電池装置１０は、電気回路５０を有している。電気回路５０は、スイッチ部品５３を搭載した基板５１を含む。さらに、この実施形態の電池システムは、別体の電気回路Ｅ９０を備える。電気回路Ｅ９０は、電池装置１０とは、別のハウジングの中に収容されている。電気回路Ｅ９０は、例えば、電子制御装置である。電気回路５０と、電気回路Ｅ９０との間は、複数のリード線Ｅ９１によって接続されている。複数のリード線Ｅ９１と基板５１との間、および複数のリード線Ｅ９１と電気回路Ｅ９０との間は、はんだ、またはコネクタによって接続することができる。
【０１３３】
この実施形態では、少なくともスイッチ部品５３が電気回路５０に含まれる。スイッチ部品５３は、基板５１の上に搭載されている。電気回路Ｅ９０は、少なくともスイッチ部品５３のための制御回路を含む。この実施形態によると、スイッチ部品５３を搭載した基板を電池ユニット２０の端子面２０ｍの近くに配置することができる。このため、比較的大きい電流が流れる経路を短くすることができる。また、制御回路が別体の電気回路Ｅ９０として構成されるから、車両の上での多様な配置が可能である。また、電気回路Ｅ９０の交換などのメンテナンスが容易となる。
【０１３４】
他の実施形態
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【０１３５】
上記実施形態では、半導体スイッチ素子によりスイッチ部品５３を提供した。これらの場合、電池ユニット２０の入出力電流が半導体スイッチによって断続されている。これに代えて、いくつかの実施形態で述べたように、電磁リレーを採用してもよい。電池ユニット２０の入出力電流が電磁リレーにより断続されることになる。
【０１３６】
上記実施形態では、電気回路５０は、複数のスイッチ部品５３を備える。これに代えて、電気回路５０は、単一のスイッチ部品５３を備えていてもよい。また、電気回路５０は、複数のスイッチ部品５３を回路パッケージの中に収容したスイッチアレイを備えていてもよい。スイッチアレイは、基板５１の上に搭載されていてもよいし、基板５１から離れて支持されていてもよい。
【符号の説明】
【０１３７】
１０  電池装置、  １０ａ  電池部分、  １０ｂ  回路部分、  １１  カバー、
２０  電池ユニット、  ２０ｍ  端子面、  ２１  電池セル、
３０  ベース、  ３５  放熱壁、
４０  バスバーユニット、
５０  電気回路、  ５１  基板、  ５２  電気部品、  ５３  スイッチ部品、
８０  接続部材、
ＴＨ  厚さ方向、  ＷＤ  幅方向、  ＤＤ  奥行方向、  ＴＭＤ  端子方向、
ＶＰ１  第１仮想平面、  ＶＰ２  第２仮想平面、
ＶＰ３  第３仮想平面、  ＶＰ４  第４仮想平面、  ＰＲＪ２０  投影範囲。
【図１】
2018098061.tif 000003
【図２】
2018098061.tif 000004
【図３】
2018098061.tif 000005
【図４】
2018098061.tif 000006
【図５】
2018098061.tif 000007
【図６】
2018098061.tif 000008
【図７】
2018098061.tif 000009
【図８】
2018098061.tif 000010
【図９】
2018098061.tif 000011
【図１０】
2018098061.tif 000012
【図１１】
2018098061.tif 000013
【図１２】
2018098061.tif 000014
【図１３】
2018098061.tif 000015
【図１４】
2018098061.tif 000016
【図１５】
2018098061.tif 000017
【図１６】
2018098061.tif 000018
【図１７】
2018098061.tif 000019
【図１８】
2018098061.tif 000020
【図１９】
2018098061.tif 000021
【図２０】
2018098061.tif 000022
【図２１】
2018098061.tif 000023
【図２２】
2018098061.tif 000024
【図２３】
2018098061.tif 000025
【図２４】
2018098061.tif 000026
【図２５】
2018098061.tif 000027
【図２６】
2018098061.tif 000028
【図２７】
2018098061.tif 000029
【図２８】
2018098061.tif 000030
【図２９】
2018098061.tif 000031
【図３０】
2018098061.tif 000032
【図３１】
2018098061.tif 000033
【図３２】
2018098061.tif 000034
【図３３】
2018098061.tif 000035
【図３４】
2018098061.tif 000036
【図３５】
2018098061.tif 000037
【図３６】
2018098061.tif 000038
【図３７】
2018098061.tif 000039
【図３８】
2018098061.tif 000040